(57)【要約】【課題】  爪先部分が室内の障害物に引っ掛かることを簡単な構造で確実に防止できる引っ掛かり防止スリッパの提供。【解決手段】  甲２ａの係止部３を上面に有する引っ掛かり防止スリッパ１（スリッパ本体４）の爪先２ｂ側の先端部分に設けた引っ掛かり防止部５は、スリッパ本体４の底面４ａに固定されている固定部６と、この固定部６から斜め上方に延びている反り部７と、この反り部７の上端から延びその端部が係止部３に固定されている支持部８とが一体に折曲形成された低摩擦材質の薄板体である。そして、スリッパ本体４の先端部分が室内の障害物９に当たった時に、滑り易い部材である引っ掛かり防止部５の反り部７が、スリッパ本体４の前向きの力を上向きの力に変えて、スリッパ本体４の先端部分が容易に障害物に乗り上げられるようにする（足をスムーズに前へ出せるようにする）。このことから、スリッパ本体４の先端部分が室内の障害物９に引っ掛かってしまうことを防止し、障害物９につまずいての転倒を防止する。【選択図】      図１
2005323638.tif 000002
【特許請求の範囲】
【請求項１】
足の甲が係止する係止部が上面に設けられているスリッパ本体と、このスリッパ本体の足の爪先側となる先端部分に設けられている引っ掛かり防止部とからなり、
前記引っ掛かり防止部は、前記スリッパ本体の床面に接する底面に固定されている固定部と、この固定部から前記足側への斜め上方に反った状態で延びている反り部と、この反り部の上端から前記係止部側に延びその端部が係止部に固定されている支持部とが一体に折曲形成された低摩擦材質の薄板体であることを特徴とする引っ掛かり防止スリッパ。
【請求項２】
前記固定部は、前記足の踵側に開口したＵ字状のカット部を有する略馬蹄形状に形成されており、そのカット部から前記スリッパ本体の底面が露出するように構成していることを特徴とする請求項１記載の引っ掛かり防止スリッパ。
【発明の詳細な説明】
【技術分野】
【０００１】
この発明は、室内用履物として足の先でつっかけて履くスリッパであり、室内の障害物への引っ掛かりを防止できるように構成した引っ掛かり防止スリッパに関するものである。
【背景技術】
【０００２】
一般的なスリッパは、室内において、足の先でつっかけて、気楽に履くものであり、底面が足の爪先部分から踵部分に向かって平面になっていると共に、爪先部分の厚みが薄くなっているものが知られている。
【０００３】
このような一般的なスリッパでは、室内の障害物（敷居などの突起物や階段の縁）に引っ掛かって、つまずいてしまうことがある。このことは、高齢者になると顕著になり、転倒してしまうことにもなる。
【０００４】
そこで、引っ掛かりを防止できるスリッパとして、スリッパの爪先部に傾斜部分を形成し、障害物への引っ掛かりを防止できるように構成したものが創案されている。
【特許文献１】特開平１１−８９６０１号公報
【特許文献２】実開平６−８６５０５号公報
【特許文献３】特開平１０−１４６０２号公報
【特許文献４】登録実用新案第３０９５３８６号公報
【特許文献５】登録実用新案第３０６３４５２号公報
【発明の開示】
【発明が解決しようとする課題】
【０００５】
前述した従来の引っ掛かり防止スリッパは、その爪先の傾斜部分での障害物への引っ掛かり防止効果が、十分にあるものではなかった。
【０００６】
例えば、スリッパ底面の床面に接する部分は比較的滑りにくい材質になっているので、この底面が障害物に当たるような傾斜部分であると、その傾斜部分が障害物に当たった時にスリッパの爪先が障害物に乗り上げることができず（足をスムーズに前へ出すことができず）に、障害物への引っ掛かり回避を確実に行えない場合がある。
【０００７】
なお、スリッパの爪先部分に回転体を設けて、この回転体が障害物に当たった時に回転して、スリッパの爪先がスムーズに障害物へ乗り上げることができるように構成したけつまずき転倒防止スリッパも知られている。（特許文献５参照）
しかし、このけつまずき転倒防止スリッパでも、室内の埃を巻きこんで回転体の回転がスムーズに行われなくなる恐れがある等から、引っ掛かり防止効果が十分にあるものではなかった。
【０００８】
また、室内において気楽に履くものであるのスリッパとしては、爪先部分に回転体を設ける等から、構造が複雑で高価になってしまう。
【０００９】
この発明は前述した事情に鑑みて創案されたもので、その目的は爪先部分が室内の障害物に引っ掛かることを簡単な構造で確実に防止できる引っ掛かり防止スリッパを提供することにある。
【課題を解決するための手段】
【００１０】
この発明での引っ掛かり防止スリッパは、足の甲が係止する係止部が上面に設けられているスリッパ本体と、このスリッパ本体の足の爪先側となる先端部分に設けられている引っ掛かり防止部とからなる。
【００１１】
また、引っ掛かり防止部は、スリッパ本体の床面に接する底面に固定されている固定部と、この固定部から足側への斜め上方に反った状態で延びている反り部と、この反り部の上端から係止部側に延びその端部が係止部に固定されている支持部とが一体に折曲形成された低摩擦材質の薄板体である。
【００１２】
そして、スリッパ本体の足の爪先側となる先端部分が室内の障害物に当たった時に、滑り易い部材の引っ掛かり防止部の反り部によって、スリッパ本体の前向きの力を上向きの力に変え、スリッパ本体の先端部分が容易に障害物に乗り上げられるようにする（足をスムーズに前へ出せるようにする）。
【発明の効果】
【００１３】
この発明での引っ掛かり防止スリッパによれば、スリッパ本体の足の爪先側となる先端部分が室内の障害物に当たった時に、滑り易い部材である引っ掛かり防止部の反り部によって、スリッパ本体の前向きの力を上向きの力に変えることができる。
【００１４】
そのため、スリッパ本体の先端部分が容易に障害物に乗り上げられて（足をスムーズに前へ出せて）、障害物への引っ掛かり回避を確実に行うことができる。
【００１５】
また、この発明での引っ掛かり防止スリッパによれば、固定部、反り部、支持部を一体に折曲形成した薄板体の引っ掛かり防止部をスリッパ本体の足の爪先側となる先端部分に設けただけの簡単な構成で、引っ掛かりを確実に防止できる。
【００１６】
そして、これらのことから、高齢者になると特に多くなる、室内の障害物につまずいての転倒を確実に防止できることになる。
【発明を実施するための最良の形態】
【００１７】
爪先部分が室内の障害物などに引っ掛かることを簡単な構造で確実に防止できる引っ掛かり防止スリッパを提供するという目的を、スリッパ本体とは別部材である滑り易い部材の引っ掛かり防止部（固定部、反り部、支持部を一体に折曲形成した薄板体の引っ掛かり防止部）をスリッパ本体の足の爪先側となる先端部分に設けて実現した。
【実施例１】
【００１８】
図１はこの発明の引っ掛かり防止スリッパを示す概略図で、図２は図１のＡ−Ａ線矢視図で、図３は図１のＡ−Ａ線矢視図で、図４はこの発明の引っ掛かり防止スリッパ１を履いての階段を下りる状態を示す概略図で、図５は図１のＤ部詳細図で、図６は図１のＤ部形成過程を示す概略図で、図７はこの発明の引っ掛かり防止スリッパを示す斜視図である。
【００１９】
そして、各図において、符号１は引っ掛かり防止スリッパで、４はスリッパ本体で、５は引っ掛かり防止部である。
【００２０】
引っ掛かり防止スリッパ１は、図１〜図３および図７に示すように、足２の甲２ａが係止する係止部３が上面に設けられているスリッパ本体４と、このスリッパ本体４の足２の爪先２ｂ側となる先端部分に設けられている引っ掛かり防止部５とからなっている。
【００２１】
また、引っ掛かり防止部５は、スリッパ本体４の床面に接する底面に固定されている固定部６と、この固定部６から足２側への斜め上方に反った状態で延びている反り部７と、この反り部７の上端から係止部３側に延びその端部が係止部３に固定されている支持部８とが一体に折曲形成された低摩擦材質の薄板体である。
【００２２】
この実施形態での引っ掛かり防止部５の固定部６は、図３に示すように、足２の踵２ｃ側に開口したＵ字状のカット部６ａを有する略馬蹄形状に形成されており、そのカット部６ａからスリッパ本体４の底面４ａが露出するように構成している。また、この固定部６は、スリッパ本体４の底面の幅と略同じ幅で形成されており、その幅いっぱいにカット部６ａが形成されている。
【００２３】
この実施形態での引っ掛かり防止部の反り部７は、スリッパ本体４の底面４ａとの角度θ（図１参照）を３０〜３５度とし、固定部６から先細り状となるように延びて、足２側への斜め上方に反っている。また、この反り部７の先端とスリッパ本体４の先端との距離Ｌ（図１参照）は、角度θが３０〜３５度となるように確保できる必要最低限の長さとする。なお、この角度θは、３０〜３５度に限るものではないが、反り部７の反り角度としては３０〜３５度が適切な角度と思われる。
【００２４】
このような構成の反り部７により、低摩擦材質（発泡ポリプロピレン等）の部材であることと相まって、スリッパ本体４の足２の爪先２ｂ側となる先端部分（引っ掛かり防止部の反り部７）が室内の障害物９（敷居などの突起物や階段の縁）に当たった時に、スリッパ本体４の前向きの力を上向きの力に変えることができる。即ち、スリッパ本体４の先端部分が容易に障害物９に乗り上げられるようになる（足２をスムーズに前へ出せるようになる）。
【００２５】
この実施形態での引っ掛かり防止部５の支持部８は、先細りとなった反り部７の上端から折曲して係止部３側に延びた幅の狭い板状に形成されており、その端部が樹脂製の留め具１０によって係止部３の上面に固定されている。
【００２６】
なお、この支持部３と反り部７との折曲部（図５参照）は、支持部３と反り部７との角度を一定に保つために、図６に示すように、Ｖ時型の切り込みを入れ押し潰して図５の状態に形成する。
【００２７】
この実施形態での係止部３は、足２の爪先２ｂ部分を深く挿入できて、足２の甲２ａが当面する部分を大きくとれる袋状に形成していると共に、足２の爪先２ｂ部分を挿入する袋状の開口部分３ａを絞って形成している。これらのことから、スリッパ本体４が脱げにくく構成されている。
【００２８】
このような構成からなるこの発明の引っ掛かり防止スリッパ１によれば、図１に示すように、足２の爪先２ａ側となるスリッパ本体４の先端部分が室内の障害物９に当たるような状態になると、スリッパ本体４の底面４ａとは違い、滑り易い部材である引っ掛かり防止部５の反り部７が障害物９に当たる。
【００２９】
この時に、引っ掛かり防止部５の反り部７により、スリッパ本体４の前向きの力が上向きの力に変えられて、スリッパ本体４の先端部分が容易に障害物９に乗り上ることができる。即ち、障害物９に妨げられることなく、足２をスムーズに前へ出せるようになる。
【００３０】
従って、この発明の引っ掛かり防止スリッパ１によれば、高齢者になると特に多くなる、室内の障害物９（図１参照）につまずいての転倒を確実に防止できる。
【００３１】
また、このような滑り易い部材の引っ掛かり防止部５をスリッパ本体４の先端部分に設けても、引っ掛かり防止部５の固定部６のカット部６ａから比較的滑りにくい部材であるスリッパ本体４の底面４ａが露出しているので、例えば、図４に示すように、階段を下りる時、階段の縁にはこのスリッパ本体４の底面４ａ（図３参照）が当接して、階段の縁で滑ってしまうようなことがない。
【００３２】
さらに、引っ掛かり防止部５の反り部７の上端から折曲した反り部７と一体な支持部３によって、反り部７を踏んでしまった場合の反り部７の変形を防ぐことができる。
【００３３】
なお、この発明の引っ掛かり防止スリッパ１は、「足２の甲２ａが係止する係止部３が上面に設けられているスリッパ本体４と、このスリッパ本体４の足２の爪先２ｂ側となる先端部分に設けられている引っ掛かり防止部５とからなっている。そして、引っ掛かり防止部５は、固定部６と、反り部７と、支持部８とが一体に形成されて板体である。」という構成であれば、この実施形態のスリッパ１に限定されるものではない。
【図面の簡単な説明】
【００３４】
【図１】この発明の引っ掛かり防止スリッパ１を示す概略図である。
【図２】図１のＡ−Ａ線矢視図である。
【図３】図１のＢ−Ｂ線矢視図である。
【図４】この発明の引っ掛かり防止スリッパ１を履いての階段を下りる状態を示す概略図である。
【図５】図１のＤ部詳細図である。
【図６】図１のＤ部形成過程を示す概略図である。
【図７】この発明の引っ掛かり防止スリッパを示す斜視図である。
【符号の説明】
【００３５】
１    引っ掛かり防止スリッパ
２    足
２ａ  甲
２ｂ  爪先
２ｃ  踵
３    係止部
３ａ  開口部分
４    スリッパ本体
４ａ  底面
５    引っ掛かり防止部
６    固定部
６ａ  カット部
７    反り部
８    支持部
９    障害物
１０  留め具
【図１】
2005323638.tif 000003
【図２】
2005323638.tif 000004
【図３】
2005323638.tif 000005
【図４】
2005323638.tif 000006
【図５】
2005323638.tif 000007
【図６】
2005323638.tif 000008
【図７】
2005323638.tif 000009